(57)【要約】【課題】ブラシ体に付着させることのできる薬剤等の塗布剤の種類は限られることなく、塗布剤に化学的処理等を施こす必要はなく、その塗布剤の効果が薄れてくることなく、ブラシ体に付着させた塗布剤が使用者の目に見え、ブラシ体への塗布剤の付着量を自由に調節することができる歯間ブラシを提供する。【解決手段】ブラシ体１を突設した持ち柄部２、およびこのブラシ体１に挿脱自在としたキャップ部３からなり、前記キャップ部３には挿入口５を有する仕切り体６を形成した収納空間３ａを設け、この収納空間３ａに歯の塗布剤４を収容し、前記キャップ部３にブラシ体１を挿脱操作することにより、前記塗布剤４をブラシ体１に付着させるようにしている。【選択図】 図１
0003129665.tif 000002
【実用新案登録請求の範囲】
【請求項１】
ブラシ体（１）を突設した持ち柄部（２）、およびこのブラシ体（１）に挿脱自在としたキャップ部（３）からなり、前記キャップ部（３）には挿入口（５）を有する仕切り体（６）を形成した収納空間（３ａ）を設け、この収納空間（３ａ）に歯の塗布剤（４）を収容し、前記キャップ部（３）にブラシ体（１）を挿脱操作することにより、前記塗布剤（４）をブラシ体（１）に付着させるようにしたことを特徴とする歯ブラシ。
【請求項２】
ブラシ体（１）を突設した持ち柄部（２）、およびこのブラシ体（１）に挿脱自在としたキャップ部（３）からなり、前記持ち柄部（２）の内部に歯の塗布剤（４）を収容し、前記持ち柄部（２）を押圧操作することにより、前記塗布剤（４）をブラシ体（１）に付着させるようにしたことを特徴とする歯ブラシ。
【考案の詳細な説明】
【技術分野】
【０００１】
この考案は、歯の間を清掃するための歯間ブラシのような小径の各種歯ブラシや、歯の表面を清掃する通常の歯ブラシの改良に関するものである。
【背景技術】
【０００２】
従来、歯間ブラシとしては、例えば図１０に示したように、ブラシ毛１１が先端から所定長さにわたり金属ワイヤー１２に撚り込まれたものとしており、このブラシ毛１１に、熱可塑性樹脂に対し無機系抗菌剤としての抗菌性ゼオライトを有効成分量含有してなるものが存在する（特許文献１）。
【０００３】
このように構成された歯間ブラシは、ブラシ毛に細菌、カビ等の微生物が増殖することなく無菌状態を維持することができるとしている。したがって、歯間ブラシには、特有の不快な臭いも付かず、色も付かないことから気持ち良く使用できるなどの効果を有するとしている。
【０００４】
さらに、歯間清掃具としては、例えば図１１に示したように、薬剤２１、香料２２等の成分が定着剤２３によってデンタルフロス２４に長期間保持されつつも、デンタルフロス２４が糸張部の先端部２５ａ、２５ｂから容易に抜け落ちることのないようにしたものが存在する（特許文献２）。
【０００５】
このように構成された歯間清掃具は、薬剤２１、香料２２等の成分を奥歯の間に塗布して虫歯、歯周病等を予防もしくは防止し、喉に近い奥歯に爽快感を与えることができるなどの効果を有するとしている。
【０００６】
また、通常の歯ブラシとしては、例えば図１２（ａ）（ｂ）に示したように、毛体３１に薬剤保持のための薬剤保持孔３２を形成し、この薬剤保持孔３２にタンニン・フッ化物合材３３を充填してなるものが存在する（特許文献３）。
【０００７】
このように構成された歯ブラシは、使用時にタンニン・フッ化物合材３３が歯に作用して、歯質強化および溶解抑制の効果を得、しかも従来の歯磨き行為と同じ簡単な行為で完全な歯質の衰えを予防することができるとしている。
【特許文献１】特開平１１−３３０４２号公報（第１頁、図１）
【特許文献２】特開平１１−３１８９４８号公報（第１頁、図３）
【特許文献３】実開平１−８９０３１号公報（第１頁、第１、２図）
【考案の開示】
【考案が解決しようとする課題】
【０００８】
しかしながら、上記従来の歯ブラシでは、ブラシ毛等にどのような薬剤でも長期間、付着させておくことができるわけではなく、その付着させておくことのできる薬剤の種類は限られてしまい、多用途に使用することができないという問題点を有している。
【０００９】
さらに、上記従来の歯ブラシでは、ブラシ毛等に薬剤が長期間、付着している状態を維持するために、何らかの化学的処理等を施す必要があり、その処理等を施すのが困難であり、また面倒であるという問題点を有している。
【００１０】
また、上記従来の歯ブラシでは、ブラシ毛等に薬剤が長期間、付着している状態を維持するための処理等を施しているといっても、その薬剤は何度もの使用によって脱落して行き、その効果は徐々に薄れてくるという問題点を有している。
【００１１】
さらに、上記従来の歯ブラシでは、ブラシ毛等に薬剤が長期間、付着している状態を維持するための処理等を施した結果、付着している状態が使用者の目に見え難いものとなり、付着しているという実感がないので、その薬剤の効能が得られるかどうかの不信感を抱いてしまうという問題点を有している。
【００１２】
しかも、上記従来の歯ブラシでは、ブラシ毛等への薬剤の付着量を自由に調節することができず、各使用者に応じた量の薬剤を使用することができないので、使用者の満足感が得られないという問題点を有している。
【００１３】
そこで、この考案は、上記従来の問題点を解決することをその課題としており、ブラシ体に付着させることのできる薬剤等の塗布剤の種類は限られることなく、塗布剤に化学的処理等を施こす必要はなく、その塗布剤の効果が薄れてくることなく、ブラシ体に付着させた塗布剤が使用者の目に見え、ブラシ体への塗布剤の付着量を自由に調節することができる歯ブラシを提供することを目的としてなされたものである。
【課題を解決するための手段】
【００１４】
そのため、この考案の歯ブラシは、ブラシ体１を突設した持ち柄部２、およびこのブラシ体１に挿脱自在としたキャップ部３からなり、前記キャップ部３には挿入口５を有する仕切り体６を形成した収納空間３ａを設け、この収納空間３ａに歯の塗布剤４を収容し、前記キャップ部３にブラシ体１を挿脱操作することにより、前記塗布剤４をブラシ体１に付着させるようにしている。
【００１５】
さらに、この考案の歯ブラシは、ブラシ体１を突設した持ち柄部２、およびこのブラシ体１に挿脱自在としたキャップ部３からなり、前記持ち柄部２の内部に歯の塗布剤４を収容し、前記持ち柄部２を押圧操作することにより、前記塗布剤４をブラシ体１に付着させるようにしている。
【考案の効果】
【００１６】
この考案の歯ブラシは、以上に述べたように構成されているので、ブラシ体に付着させることのできる塗布剤の種類は限られることなく、多用途に使用することができ、さらに塗布剤に化学的処理等を施こす必要はなく、塗布剤をブラシ体に簡単に付着させることができ、また塗布剤の効能が薄れてくることなく、その塗布剤を長期間使用することができるものとなる。さらに、この考案の歯ブラシは、ブラシ体に付着させた塗布剤が使用者の目に見え、その塗布剤の効能が得られるという安心感があり、またブラシ体への塗布剤の付着量を自由に調節することができ、各使用者に応じた量の塗布剤を使用することができ、使用者の満足感が得られるものとなる。
【考案を実施するための最良の形態】
【００１７】
以下、この考案の歯ブラシを実施するための最良の形態を、図面に基づいて詳細に説明する。
【００１８】
この考案の歯ブラシは、ブラシ体１を突設した持ち柄部２、およびこのブラシ体１に挿脱自在としたキャップ部３からなる。そして、前記持ち柄部２またはキャップ部３の内部には、前記ブラシ体１に付着可能として歯の塗布剤４を収容したものとしている。
【００１９】
図１、２に示した実施形態では、この考案の歯ブラシは、歯間ブラシとしており、前記キャップ部３にブラシ体１を挿脱操作することにより、歯の塗布剤４をこのブラシ体１に付着させるようにしている。すなわち、前記キャップ部３は、持ち柄部２の先端部に着脱自在としており、挿入口５を有する仕切り体６を形成した収容空間３ａを内部に設け、この収容空間３ａに歯の塗布剤４を収容したものとしている。そして、このキャップ部３にブラシ体１を挿脱操作することにより、前記塗布剤４をブラシ体１に付着させるようにしている。
【００２０】
図３、４に示した実施形態でも、この考案の歯ブラシは、歯間ブラシとしており、前記キャップ部３にブラシ体１を挿脱操作することにより、歯の塗布剤４をこのブラシ体１に付着させるようにしている。すなわち、前記キャップ部３は、持ち柄部２の先端部に着脱自在としており、挿入空間７ａを有する保持体７を装着した収納空間３ａを内部に設け、この収納空間３ａに装着した保持体７に前記塗布剤４を保持したものとしている。そして、このキャップ部３にブラシ体１を挿脱操作することにより、前記塗布剤４をブラシ体１に付着させるようにしている。前記保持体７は、スポンジ状にしたもの、例えばポリスチレン、ポリウレタンなどの発泡成形体とすることができるが、歯の塗布剤４を保持できるものであればどのようなものでよく、特に限定されることはない。なお、前記保持体７をスポンジ状にしたものにすれば、歯の塗布剤４を液体とした場合にも、その保持体７に含浸させることにより保持できるので好ましい。
【００２１】
図５〜７に示した実施形態では、この考案の歯ブラシは、歯間ブラシとしており、前記持ち柄部２を押圧操作することにより、歯の塗布剤４を前記ブラシ体１に付着させるようにしている。すなわち、前記持ち柄部２は、変形可能な弾性体からなるものとすると共に、ブラシ体１を突設した側の先端に注出口８を有する収容空間２ａを内部に設け、この収容空間２ａに前記塗布剤４を収容したものとしている。そして、この持ち柄部２を押圧操作することにより、前記収容空間２ａの注出口８から塗布剤４を押し出し、この塗布剤４をブラシ１に付着させるようにしている。
【００２２】
図８、９に示した実施形態では、この考案の歯ブラシは、通常の歯ブラシとしており、前記キャップ部３にブラシ体１を挿脱操作することにより、歯の塗布剤４をこのブラシ体１に付着させるようにしている。すなわち、前記キャップ部３は、持ち柄部２の後端部を除く略全体を覆うようにしたり、前記持ち柄部２の後端部を除く略全体を露出させるようにして持ち柄部２に着脱自在としており、挿入口５を有する仕切り体６を形成した収容空間３ａを内部に設け、この収容空間３ａに歯の塗布剤４を収容したものとしている。そして、このキャップ部３にブラシ体１を挿脱操作することにより、前記塗布剤４をブラシ体１に付着させるようにしている。
【００２３】
ブラシ体１は、歯間ブラシの場合にはブラシ毛１ａが先端から所定長さにわたり金属ワイヤー１ｂに撚り込ませたものとしており、その金属ワイヤー１ｂの後端を持ち柄部２の先端に埋設したものとして、持ち柄部２の先端に突設している。
【００２４】
持ち柄部２は、図１、２、図３、４および図８、９に示した実施形態では、合成樹脂などからなる変形不可能な硬質体からなっており、不透明体としても透明体としてもよい。また、持ち柄部２は、図５〜７に示した実施形態では、前記したように合成樹脂などからなる変形可能な弾性体からなっており、不透明体としても透明体としてもよい。そして、この持ち柄部２の先端には、前記注出口８を有し、持ち柄部２の内部には収容空間２ａが設けられている。
【００２５】
キャップ部３は、合成樹脂などからなり、変形可能であっても変形不可能なものであってもよく、不透明体としても透明体としてもよい。そして、図５〜７に示した実施形態では、前記キャップ部３の内部は、ただ単にブラシ体１が挿入できるように空洞にしているが、図１、２および図８、９に示した実施形態では、キャップ部３の内部には、前記したようにブラシ体１の挿入口５を有した仕切り体６を形成した収容空間３ａを設けたものとしている。なお、前記挿入口５は、図示していないが弁構造を有したものとすることができる。さらに、図３、４に示した実施形態では、キャップ部３の内部には、前記したように挿入空間７ａを有する保持体７を装着した収納空間３ａを設け、この収納空間３ａに装着した保持体７に前記塗布剤４を保持したものとしている。
【００２６】
塗布剤４は、図１、２、図５〜７および図８、９に示した実施形態では、粉体としたりコロイド状、ゼリー状などとしたものとすることができるが、前記収容空間２ａ、３ａから容易に流れ出たり、溢れ出たりしないものとしている。また、前記塗布剤４は、図３、４に示した実施形態では、液体とすることもできる。そして、この塗布剤４は、歯や歯間部、歯茎に塗布できるものであればよく、その種類としては、歯磨剤、清涼剤、食塩水、香料、歯槽膿漏用や歯肉炎用の薬剤などが挙げられる。
【００２７】
以上のように構成したこの考案の歯ブラシは、次のようにしてブラシ体１に塗布剤４を付着させることができる。
【００２８】
先ず、図１、２および図３、４に示した実施形態では、図１、３に示したような持ち柄部２にキャップ部３が装着された状態において、ブラシ体１をキャップ部３から抜脱操作すると、キャップ部３の収容空間３ａに収容された塗布剤４が付着した状態で抜き出される。また、図示していないが、持ち柄部２からキャップ部３が外された状態では、ブラシ体１をキャップ部３に挿入操作すると、収容空間３ａにブラシ体１が挿入され塗布剤４が付着した状態となり、このブラシ体１をキャップ部３から抜脱操作すると、塗布剤４が付着した状態で引き出される。このとき、ブラシ体１をキャップ部３の収容空間３ａに挿入したり、抜き出したりして、図１、２に示した実施形態では、ブラシ体１を仕切り体６の挿入口５に擦り付けることにより、また図３、４に示した実施形態では、ブラシ体１を保持体７に擦り付けて、塗布剤４のブラシ体１への付着量を調節することができる。また、歯間ブラシの使用中に、ブラシ体１に付着させた塗布剤４が足らなくなったときには、ブラシ体１を再度、キャップ部３の収容空間３ａに挿入して抜き出せば、ブラシ体１に塗布剤４を足すこともできる。なお、この実施形態の歯間ブラシは、ブラシ体１を挿脱操作してもブラシ体１に塗布剤４が付着しなくなれば、塗布剤４がなくなったことが分かるので、キャップ体３を不透明体としてもよいが、図１、２に示した実施形態では、キャップ体３を透明体にすると、収容空間３ａに収容された塗布剤４の残量が見え、塗布剤４がなくなったことが直に分かるものとなる。
【００２９】
そして、前記持ち柄部２を手に持ち、そのままブラシ体１を歯間部や歯肉部に押し当てれば、歯間部や歯肉部に塗布剤４を塗布することができる。
【００３０】
次に、図５〜７に示した実施形態では、図５に示したような持ち柄部２にキャップ部３が装着された状態、または図６に示したような持ち柄部２からキャップ部３が脱着された状態において、使用者が手指で持ち柄部２を押圧操作すると、図７に示したように、持ち柄部２の収容空間２ａに収容された塗布剤４が注出口８から押し出され、ブラシ体１に付着させることができる。このとき、持ち柄部２の押圧具合を強くしたり弱くしたりすることにより、塗布剤４のブラシ体１への付着量を調節することができる。また、歯間ブラシの使用中に、ブラシ体１に付着させた塗布剤４が足らなくなったときには、持ち柄部２を再度押圧操作すれば、ブラシ体１に塗布剤４を足すこともできる。なお、この実施形態の歯間ブラシは、持ち柄部２を押圧しても注出口８から塗布剤４が出なくなれば、塗布剤４がなくなったことが分かるので、持ち柄部２を不透明体としてもよいが、持ち柄部２を透明体にすると、収容空間２ａに収容された塗布剤４の残量が見え、塗布剤４がなくなったことが直に分かるものとなる。
【００３１】
そして、持ち柄部２からキャップ部３が脱着された状態であれば、持ち柄部２を手に持ち、そのままブラシ体１を歯間部や歯肉部に押し当てれば、歯間部や歯肉部に塗布剤４を塗布することができ、持ち柄部２にキャップ部３が装着された状態であれば、持ち柄部２からキャップ部３を脱着してから、持ち柄部２を手に持ち、ブラシ体１を歯間部や歯肉部に押し当てれば、歯間部や歯肉部に塗布剤４を塗布することができる。
【００３２】
さらに、図８〜９に示した実施形態では、図８に示したような持ち柄部２にキャップ部３が持ち柄部２の後端部を除く略全体を覆うようにし装着された状態において、ブラシ体１をキャップ部３から抜脱操作すると、キャップ部３の収容空間３ａに収容された塗布剤４が付着した状態で抜き出される。また、図示していないが、持ち柄部２からキャップ部３が外された状態では、ブラシ体１をキャップ部３に挿入操作すると、収容空間３ａにブラシ体１が挿入され塗布剤４が付着した状態となり、このブラシ体１をキャップ部３から抜脱操作すると、塗布剤４が付着した状態で引き出される。このとき、ブラシ体１をキャップ部３の収容空間３ａに挿入したり、抜き出したりして、ブラシ体１を仕切り体６の挿入口５に擦り付けることにより、塗布剤４のブラシ体１への付着量を調節することができる。また、歯ブラシの使用中に、ブラシ体１に付着させた塗布剤４が足らなくなったときには、ブラシ体１を再度、キャップ部３の収容空間３ａに挿入して抜き出せば、ブラシ体１に塗布剤４を足すこともできる。なお、この実施形態の歯ブラシは、ブラシ体１を挿脱操作してもブラシ体１に塗布剤４が付着しなくなれば、塗布剤４がなくなったことが分かるので、キャップ体３を不透明体としてもよいが、キャップ体３を透明体にすると、収容空間３ａに収容された塗布剤４の残量が見え、塗布剤４がなくなったことが直に分かるものとなる。
【００３３】
そして、前記持ち柄部２を手に持ち、そのままブラシ体１を歯表面部や歯肉部に押し当てれば、歯表面部や歯肉部に塗布剤４を塗布することができる。また、図９に示したように、前記持ち柄部２の後端部を除く略全体を露出させるようにして、この持ち柄部２をキャップ部３に取り付ければ、手に持ち易いものとなり、ブラシ体１を歯表面部や歯肉部に押し当てれば、歯表面部や歯肉部に塗布剤４を塗布し易いものとなる。
【００３４】
したがって、この考案の歯ブラシは、ブラシ体１に付着させることのできる塗布剤４の種類は限られることのないものとなり、ブラシ体１に塗布剤４を付着させるだけでよいのでその塗布剤４に化学的処理等を施さなくてよいものとなる。さらに、使用時に塗布剤４をブラシ体１に何度でも付着させることができるので、その塗布剤４の効能などが薄れてくることがないものとなる。また、その付着させた塗布剤４は使用者の目に見え、しかも塗布剤４の付着量も自由に調節することができるものとなる。
【図面の簡単な説明】
【００３５】
【図１】この考案の歯ブラシを歯間ブラシとした場合の一実施形態を示す側断面図である。
【図２】図１に示すこの考案の歯ブラシのブラシ体への塗布剤の付着状態を示す側断面図である。
【図３】この考案の歯ブラシを歯間ブラシとした場合の他の実施形態を示す側断面図である。
【図４】図３に示すこの考案の歯ブラシのブラシ体への塗布剤の付着状態を示す側断面図である。
【図５】この考案の歯ブラシを歯間ブラシとした場合のさらに他の実施形態を示す側断面図である。
【図６】図５に示すこの考案の歯ブラシの持ち柄部からキャップ部を外した状態を示す側断面図である。
【図７】図５に示すこの考案の歯ブラシのブラシ体への塗布剤の付着状態を示す側断面図である。
【図８】この考案の歯ブラシを通常の歯ブラシとした場合の実施形態を示す側断面図である。
【図９】図８に示すこの考案の歯ブラシの持ち柄部の後端にキャップ部を取り付けた状態を示す側断面図である。
【図１０】従来の歯間ブラシの側面図である。
【図１１】従来の歯間清掃具のフロスが糸張部に固着している様子を示す簡略断面図である。
【図１２】従来の歯ブラシを示しており、（ａ）はその側面図であり、（ｂ）はその毛体の拡大断面図である。
【符号の説明】
【００３６】
１  ブラシ体
２  持ち柄部
２ａ  収容空間
３  キャップ部
３ａ  収容空間
４  塗布剤
５  挿入口
６  仕切り体
８  注出口
【図１】
0003129665.tif 000003
【図２】
0003129665.tif 000004
【図３】
0003129665.tif 000005
【図４】
0003129665.tif 000006
【図５】
0003129665.tif 000007
【図６】
0003129665.tif 000008
【図７】
0003129665.tif 000009
【図８】
0003129665.tif 000010
【図９】
0003129665.tif 000011
【図１０】
0003129665.tif 000012
【図１１】
0003129665.tif 000013
【図１２】
0003129665.tif 000014